(57)【要約】【課題】  ユーザにとって明るく見やすいバックライトを確保しつつ、バッテリ駆動時間を大幅に伸ばすことができ、モバイル用途に好適な表示装置、テレビジョン受信機、画像表示制御方法及び画像表示制御処理プログラムを提供する。【解決手段】  番組付帯情報に含まれるＥＰＧを検出する放送内容検出部１６５と、視聴予定番組やバックライト制御モードなどをユーザ設定する操作部１６６と、設定した視聴予約番組に基づいてバックライト輝度、液晶駆動の空間解像度、又は時間解像度の少なくともいずれか一つを制御する表示制御部１６７とを備え、表示制御部１６７は、設定した視聴予約番組に基づいて液晶パネル１００のバックライト１１０の輝度、又は液晶パネル１００の液晶駆動を制御する。【選択図】  図２
2005210706.tif 000002
【特許請求の範囲】
【請求項１】
液晶パネルと該液晶パネルを照明する照明光源部とを備える表示装置であって、
電子番組表を取得する電子番組表取得手段と、
取得した電子番組表を基に視聴番組の予約を行う視聴番組予約手段と、
予約した視聴予約番組に関する予約状況に基づいて、前記液晶パネル又は前記照明光源部の表示特性を制御する画像表示制御手段と
を備えることを特徴とする表示装置。
【請求項２】
液晶パネルと該液晶パネルを照明する照明光源部とを備える表示装置であって、
電子番組表を取得する電子番組表取得手段と、
取得した電子番組表を基に視聴番組の予約を行う視聴番組予約手段と、
予約した視聴予約番組に関する予約状況に基づいて、前記液晶パネルの表示の明るさ、前記液晶パネルの空間解像度又は時間解像度の少なくともいずれか一つに基づいて表示特性を制御する画像表示制御手段と
を備えることを特徴とする表示装置。
【請求項３】
前記液晶パネルの表示の明るさの制御は、前記照明光源部の輝度を前記予約状況に応じて変更する制御を含むことを特徴とする請求項１又は２に記載の表示装置。
【請求項４】
前記空間解像度の制御は、前記液晶パネルに表示させる画像のサイズを前記予約状況に応じて変更する制御を含むことを特徴とする請求項１から３までのいずれか一項に記載の表示装置。
【請求項５】
前記時間解像度の制御は、前記液晶パネルのフレーム周波数を前記予約状況に応じて変更する制御を含むことを特徴とする請求項１から４までのいずれか一項に記載の表示装置。
【請求項６】
前記画像表示制御手段は、前記予約状況に応じて前記照明光源部の部分点灯又は消灯を行うことを特徴とする請求項１から５までのいずれか一項に記載の表示装置。
【請求項７】
さらに、表示装置を駆動するバッテリと、該バッテリの残容量を検出するバッテリ残量検出手段とを備え、
前記画像表示制御手段は、前記予約状況と検出された前記バッテリの残容量とに基づいて画像表示制御を行うことを特徴とする請求項１から６までのいずれか一項に記載の表示装置。
【請求項８】
前記予約状況は、視聴予約番組の予約時間、又は予約されている番組の総計の時間を含むことを特徴とする請求項１から７までのいずれか一項に記載の表示装置。
【請求項９】
前記画像表示制御手段は、予約された前記視聴予約番組の放送時間内については、前記表示特性を基準レベルに保つ制御を行うことを特徴とする請求項１から８までのいずれか一項に記載の表示装置。
【請求項１０】
前記画像表示制御手段は、予約された前記視聴予約番組の放送時間内については、前記表示特性を基準レベルよりも上げる制御を行うことを特徴とする請求項１から９までのいずれか一項に記載の表示装置。
【請求項１１】
前記画像表示制御手段は、予約された前記視聴予約番組以外の番組については、前記表示特性を基準レベルよりも下げる制御を行うことを特徴とする請求項１から１０までのいずれか一項に記載の表示装置。
【請求項１２】
さらに、予約された前記視聴予約番組に対して優先順位を設定する優先順位設定手段を備え、
前記画像表示制御手段は、設定された前記優先順位に従って画像表示制御を行うことを特徴とする請求項１から１１までのいずれか一項に記載の表示装置。
【請求項１３】
請求項１から１２までのいずれか一項に記載の表示装置を備えることを特徴とするテレビジョン受信機。
【請求項１４】
液晶パネルと該液晶パネルを照明する照明光源部とを備える表示装置の制御方法であって、
電子番組表を取得するステップと、
取得した電子番組表を基に視聴番組の予約を行うステップと、
予約した視聴予約番組に関する予約状況に基づいて、表示の明るさ、表示の空間解像度又は時間解像度の少なくともいずれか一つを制御するステップと
を有することを特徴とする制御方法。
【請求項１５】
請求項１４に記載のステップをコンピュータに実行させるためのプログラム。
【発明の詳細な説明】
【技術分野】
【０００１】
本発明は、表示装置、テレビジョン受信機、画像表示制御方法及び画像表示制御プログラムに関し、特に、表示装置の省エネルギー効果（以下、省エネという）と表示特性の改良に関する。
【０００２】
以下、明細書の記載において、表示特性とは、表示の明るさ、空間解像度又は時間解像度の少なくともいずれか一つを含むものとする。また、基準レベルの定義とは、デフォルトの値、一般的にユーザが見て許容できる表示の輝度をいう。予約状況とは、視聴予約番組の予約時間、予約されている番組の総計の時間を含むものとする。
【背景技術】
【０００３】
従来、液晶表示装置においては、外部から照射された光の透過光量を制御して画像を表示する透過型と、反射光量を制御して画像を表示する反射型とに大別される。透過型液晶表示装置は、一般に、背面にバックライトと呼ばれる照明装置を使用している。このバックライトはバックライト駆動回路に接続されており、商用電源やバッテリ等の電源を基に作成した必要な駆動電力が、駆動回路を通じて供給されている。また、反射型液晶表示装置は、周囲光を利用して表示することが可能であるが、表示輝度が周囲環境に依存する度合いが非常に高く、特に夜間などの暗闇では表示が全く認識できないこともある。そのため、十分な周囲光が得られない場合に備えて、反射型液晶表示素子を前方から照明するフロントライトと呼ばれる照明装置を設け、同様に駆動回路を用いて点灯するものもある。
【０００４】
このような駆動回路はインバータ回路を備えており、電源から供給される駆動電力をもとに周期１００〜４００Ｈｚ程度のパルス点灯信号を生成し、このパルス信号がハイレベルとなっている期間でインバータ回路を駆動し、周期４０Ｋ〜２００ＫＨｚの高周波電圧を生成する。その後、この高周波電圧をバックライトに印加し駆動するようになっている。
【０００５】
また、携帯型のテレビジョン受信機に代表される携帯型表示装置は、携帯使用時にはバッテリ駆動される。携帯型表示装置では、バックライト部に消費される電力が最も大きく、バッテリ駆動時間はバックライトの点灯／非点灯やその輝度によって大きく異なる。一般に、バックライトの輝度が高ければ表示画面は見やすくなり、輝度が低くなると見にくくなる。バックライトの使用はバッテリ駆動時間に大きく影響するため、バックライト輝度を制御してバッテリ駆動時間を伸ばすことが行われている。例えば、特許文献１には、設定されたバッテリ駆動時間とバッテリの総容量から消費電流を算出し、ユーザが設定した時間内だけバックライトを駆動するパーソナルコンピュータが開示されている。
【０００６】
また、特許文献２には、バッテリ残容量に応じて機器の点灯時間を制御する装置が開示されている。また、特許文献３には、バッテリ残量が一定レベル以下になるとバックライトを低電力駆動に切り換え、さらに低下すると映像をオフすると共にメモリカード録画に切り換える携帯型視聴装置が開示されている。
【０００７】
【特許文献１】特開平４−１９２０１５号公報
【特許文献２】特開平７−３２７００４号公報
【特許文献３】特開平１１-１２２９３７号公報
【発明の開示】
【発明が解決しようとする課題】
【０００８】
しかしながら、このような従来の携帯表示装置にあっては、バッテリ残量に応じてバックライトの輝度や機器の動作を一部制限するのみに留まっており、ユーザの視聴したい時間に最適なバックライトの輝度が確保されるものではなかった。
【０００９】
例えば、携帯型テレビジョン受信機において、ユーザが本当に視聴したい番組時間にバックライトが暗くなったり、バッテリ残量に余裕がある場合にはユーザがそれ程関心を持って視聴しない時間や番組のバックライトが高輝度だったりする。これらは有効なバックライト使用ではなく、前者の場合はユーザの使用感を損ない、後者の場合はバッテリ消耗につながってバッテリ駆動時間の低下を招来する。
【００１０】
本発明は、このような課題に鑑みてなされたものであって、視聴番組に関してユーザにとって明るく見やすいバックライト輝度を確保することができる表示装置、テレビジョン受信機、画像表示制御方法及び画像表示制御処理プログラムを提供することを目的とする。
【００１１】
また、低消費電力化を図ることができる表示装置、テレビジョン受信機、画像表示制御方法及び画像表示制御処理プログラムを提供することを目的とする。
【課題を解決するための手段】
【００１２】
本発明の表示装置は、液晶パネルと該液晶パネルを照明する照明光源部とを備える表示装置であって、電子番組表を取得する電子番組表取得手段と、取得した電子番組表を基に視聴番組の予約を行う視聴番組予約手段と、予約した視聴予約番組に関する予約状況に基づいて、前記液晶パネル又は前記照明光源部の表示特性を制御する画像表示制御手段とを備えることを特徴としている。
【００１３】
本発明の表示装置は、液晶パネルと該液晶パネルを照明する照明光源部とを備える表示装置であって、電子番組表を取得する電子番組表取得手段と、取得した電子番組表を基に視聴番組の予約を行う視聴番組予約手段と、予約した視聴予約番組に関する予約状況に基づいて、前記液晶パネルの表示の明るさ、前記液晶パネルの空間解像度又は時間解像度の少なくともいずれか一つに基づいて表示特性を制御する画像表示制御手段とを備えることを特徴としている。
【００１４】
具体的な態様として、前記液晶パネルの表示の明るさの制御は、前記照明光源部の輝度を前記予約状況に応じて変更する制御を含むものである。
【００１５】
具体的な態様として、前記空間解像度の制御は、前記液晶パネルに表示させる画像のサイズを前記予約状況に応じて変更する制御を含むものである。
【００１６】
具体的な態様として、前記時間解像度の制御は、前記液晶パネルのフレーム周波数を前記予約状況に応じて変更する制御を含むものである。
【００１７】
前記画像表示制御手段は、前記予約状況に応じて前記照明光源部の部分点灯又は消灯を行うものであってもよい。
【００１８】
本発明の表示装置は、さらに、表示装置を駆動するバッテリと、該バッテリの残容量を検出するバッテリ残量検出手段とを備え、前記画像表示制御手段は、前記予約状況と検出された前記バッテリの残容量とに基づいて画像表示制御を行うことを特徴としている。
【００１９】
具体的な態様として、前記予約状況は、視聴予約番組の予約時間、又は予約されている番組の総計の時間を含むものである。
【００２０】
より好ましい具体的な態様として、前記画像表示制御手段は、予約された前記視聴予約番組の放送時間内については、前記表示特性を基準レベルに保つ制御を行う。
【００２１】
より好ましい具体的な態様として、前記画像表示制御手段は、予約された前記視聴予約番組の放送時間内については、前記表示特性を基準レベルよりも上げる制御を行う。
【００２２】
より好ましい具体的な態様として、前記画像表示制御手段は、予約された前記視聴予約番組以外の番組については、前記表示特性を基準レベルよりも下げる制御を行う。
【００２３】
さらに、予約された前記視聴予約番組に対して優先順位を設定する優先順位設定手段を備え、前記画像表示制御手段は、設定された前記優先順位に従って画像表示制御を行うものであってもよい。
【００２４】
本発明のテレビジョン受信機は、上記いずれかの表示装置を備えることを特徴としている。
【００２５】
本発明の表示装置の制御方法は、液晶パネルと該液晶パネルを照明する照明光源部とを備える表示装置の制御方法であって、電子番組表を取得するステップと、取得した電子番組表を基に視聴番組の予約を行うステップと、予約した視聴予約番組に関する予約状況に基づいて、表示の明るさ、表示の空間解像度又は時間解像度の少なくともいずれか一つを制御するステップとを有することを特徴としている。
【００２６】
他の観点から、本発明は、上記表示装置の制御方法のステップをコンピュータに実行させるためのプログラムである。
【発明の効果】
【００２７】
以上、詳述したように、本発明によれば、限られた容量のバッテリを搭載した携帯型表示装置を使用する場合に、ユーザが本当に見たい時とそうでない時の表示装置の使い分け方法において、効率的な選択方法を提案することができる。また、視聴番組に関してユーザにとって明るく見やすいバックライトを確保することができる。さらに、ユーザにとってあまり重要ではない番組を視聴する場合には余計な電力消費を抑制し、余計な電力を使用しないようにして低消費電力化を図ることもできる。これにより、省エネ効果に優れた表示装置、テレビジョン受信機及び画像表示制御方法を実現することができる。
【００２８】
また、本来視聴したい時間帯にユーザにとって明るく見やすいバックライトを確保しつつ、バッテリ駆動時間を大幅に伸ばすことができる。これにより、必要最小限のバッテリ個数を用意して、使い勝手の良い表示装置の駆動方法を提供することができる。
【発明を実施するための最良の形態】
【００２９】
以下、添付図面を参照しながら本発明の好適な表示装置、テレビジョン受信機及び画像表示制御方法の実施の形態について詳細に説明する。
まず、本発明の基本的な考え方について説明する。
【００３０】
〔基本構成〕
図１（Ａ）（Ｂ）は、本発明の基本概念を説明するブロック図である。
図１（Ａ）において、本発明の表示装置は、
番組情報を取得する番組情報取得手段ａ．と、
取得した番組情報を基に視聴予約番組を設定する視聴予約番組設定手段ｂ．と、
設定した視聴予約番組に基づいてバックライト（照明光源部）輝度、液晶駆動の空間解像度、又は時間解像度の少なくともいずれか一つを制御する画像表示制御手段ｃ．と、
画像表示制御手段ｃ．により制御される制御対象ｄ．とを備えることを基本構成とする。
また、図１（Ｂ）において、本発明の表示装置は、
さらに、バッテリの残容量を検出するバッテリ残量検出手段ｅ．を備え、画像表示制御手段ｃ．は、検出されたバッテリ残容量に基づいて画像表示制御を行う。
【００３１】
〔制御対象〕
画像表示制御は、バックライト制御と液晶駆動制御とがあり、バックライト制御は、バックライト輝度の変更、バックライトのオン／オフ、バックライトの部分点灯制御を含む。液晶駆動制御は、画像のサイズを変える空間解像度、フレームレートを変える時間解像度の制御である。いずれもユーザの視聴予約番組の見やすさを確保しつつ低消費電力化の観点から行うものである。また、バックライト制御と液晶駆動制御とを組合せることも可能である。
【００３２】
液晶表示装置の液晶パネル、例えば、ＴＦＴ（Thin film transistor）液晶パネルでは、垂直走査回路によって複数本の垂直選択線を順次駆動することにより、これらの垂直選択線に接続されている液晶表示素子（以下、液晶セルという）を機能させる。一本の垂直選択線を駆動することにより、当該垂直選択線に接続されている複数の液晶セルにより一行の画素を表示させることができる。各垂直選択線を順次駆動することにより、表示パネルにおける１フレームの画像が表示される。
【００３３】
このような液晶駆動回路において、各水平周期ごとに各垂直選択線は接地電位ＧＮＤから駆動電圧Ｖｐまで駆動される。すなわち、各垂直選択線を接地電位ＧＮＤから駆動電圧Ｖｐまでチャージするので、これに伴い電力が消費される。
【００３４】
例えば、液晶パネルの垂直選択線の本数をｋ、垂直走査線一本当たりの容量をＣｓ、駆動電圧をＶｐ、フレーム周波数をｆｖとすると、液晶パネルの垂直選択線駆動するための消費電力Ｐｃは、次式（１）により求められる。
Ｐｃ＝ｋ・Ｃｓ・Ｖｐ2・ｆｖ                              …（１）
【００３５】
液晶表示装置の大パネル化、高解像度化に伴い、垂直選択線の長さの増加により一本当たりの容量が増し、さらに垂直選択線の本数が増えるので、消費電力Ｐｃが増加する。さらに、フリッカー（表示画面のちらつき）を低減するためにフレーム周波数を増加する対策が講じられている液晶表示装置においてフレーム周波数の増加により消費電力Ｐｃが増加する。
【００３６】
液晶パネルにおける消費電力Ｐｃは、上記式（１）により求められる。空間解像度変更では、垂直選択線の本数ｋを減少して低解像度、又は小画面表示にする。時間解像度変更では、フレーム周波数ｆｖを下げる。これにより、消費電力Ｐｃを減少させることができる。
【００３７】
〔制御内容〕
画像表示制御手段ｃ．は、設定された視聴予約番組に基づいて画像表示制御を行う。視聴予約番組は、例えばＥＰＧを基にユーザが視聴予約番組を選択する。また、バッテリ残量検出手段ｅ．によりバッテリ残量を検知することが好ましく、バッテリ残量情報を前記画像表示制御に反映させる。
【００３８】
画像表示制御手段ｃ．は、設定された視聴予約番組についてはバックライトの輝度、空間解像度、又は時間解像度を保つ。そのために、視聴番組以外については、バックライトの輝度、空間解像度、又は時間解像度を下げる。バックライトをオフした場合は音声を残す。
【００３９】
画像表示制御を、バックライト制御を例に採り述べる。〔パターン１〕視聴予約番組の放送時間帯についてはバックライトの輝度を上げる、また視聴予約番組以外の時間帯の番組のバックライトの輝度を基準レベルに保つ。さらに、番組中に挿入されているコマーシャル（以下、ＣＭともいう）時はバックライトの輝度を下げる。〔パターン２〕視聴予約番組の放送時間帯についてはバックライトの輝度を確保、また視聴予約番組以外のバックライトの輝度を下げる。さらに、ＣＭ時はバックライトの輝度をより下げる又はオフする。なお、上記パターンは一例であり種々のパターンやパターン内容の任意の組合せが可能である。さらに、バックライトの部分点灯制御、液晶駆動制御を単独で、又はバックライト輝度制御と併用してもよい。
【００４０】
視聴予約番組が複数ある場合には、優先順位を付与（ユーザ設定，先設定優先，シリーズもの優先）することができる。優先順位をつける主な目的は、モバイル（バッテリ残量）との関係から優先度の高いものについてはまず視聴できるようにすることにある。優先度推定により、シリーズ番組など毎週見ているものは必ず見ると推定できる。この場合はユーザが選択しなくてもよい。
【００４１】
第１の実施の形態
図２は、上記図１（Ａ）の基本的な考え方に基づく本発明の第１の実施の形態の表示装置の構成を概略的に示すブロック図である。本実施の形態に係る表示装置は、ＡＣ駆動されるデジタルテレビジョン受信機の表示装置に適用したものである。
【００４２】
図２において、テレビジョン受信機の表示装置は、液晶パネル１００（制御対象）と、液晶パネル１００に光を照射するバックライト（照明光源部）用光源としての冷陰極管（ＣＣＦＴ：Cold Cathode Fluorescent Tube）からなるバックライト１１０（制御対象）と、供給電源電圧を基本パラメータとし，さらには表示制御部１６７（画像表示制御手段）からの表示制御信号に従ってバックライト輝度制御を行うマイコン（マイクロコンピュータ）１２０と、外部の商用電源から適切な直流電源に変換して装置に供給するＡＣアダプタ１３０と、ＡＣアダプタ１３０から供給される電源電圧を整流してマイコン１２０に所定の直流電圧を出力するレギュレータ１３１と、複数のインバータ１５１〜１５４からなり前記直流電圧を数十Ｋ〜数百ＫＨｚの高周波電圧に変換してバックライト１１０を駆動するインバータ回路１５０と、ＣＡＴＶを含む外部入力１６０と、アンテナ１６１から放送信号を受信するチューナ１６２と、受信した放送信号に多重化されている番組付帯情報を分離する番組情報分離部１６３と、ストリームデータのデコード処理を行うデコード部１６４と、番組付帯情報に含まれるＥＰＧ（Electrical Program Guide：電子番組ガイド）を検出する放送内容検出部１６５（番組情報取得手段）と、視聴予約番組や視聴予定時間の設定やバックライト制御モード設定などのユーザ操作情報を入力するキー入力部，ポインティングデバイス，リモコン装置などからなる操作部１６６（視聴予約番組設定手段の一部）と、デコードされた映像信号を処理してＬＣＤコントローラ１６８に出力するとともに、設定した視聴予約番組に基づいてバックライト輝度、液晶駆動の空間解像度、又は時間解像度の少なくともいずれか一つを制御する表示制御部１６７と、表示データ並びに、表示データ転送用クロック，走査開始信号，表示データラッチ信号等の液晶駆動信号を供給するＬＣＤコントローラ１６８と、前記液晶駆動信号によって液晶パネル１００に駆動電圧を出力する液晶駆動回路１６９とを備えて構成される。
【００４３】
上記マイコン１２０、ＡＣアダプタ１３０、レギュレータ１３１、及びインバータ回路１５０は、全体として、バックライト１１０を点灯するバックライト点灯装置１５５を構成する。
【００４４】
まず、バックライト点灯装置１５５について説明する。
バックライト１１０は、液晶パネル１００に光を照射する光源として複数の放電ランプ１１１〜１１４を含んでいる。図２では、４つの放電ランプ１１１〜１１４を備えた構成を例示しているが、放電ランプやインバータの個数及び配置は液晶パネルの寸法等に応じて任意に決めることができる。
【００４５】
マイコン１２０は、内部の各構成部分及びマイコン１２０外部の装置に対してバックライト輝度制御を行う制御手段１２１と、インバータ回路１５０（バックライト駆動部）に調光パルスを供給する調光パルス発生回路１２２と、調光パルス発生回路１２２により生成した調光パルスのパルス幅及び周期を変調してインバータ回路１５０に入力するＰＷＭ（Pulse Width Modulation：パルス幅変調）部１２３〜１２６とを備えている。
【００４６】
調光パルス発生回路１２２は、基準発振クロックを生成する基準発振器（図示せず）を有しており、このクロックに基づいて調光パルスを生成する。本実施の形態では、一つの基準発振器により周波数の異なる複数の調光パルスを生成して各ＰＷＭ部１２３〜１２６に出力するようにしてもよいし、複数の基準発振器を備え、それぞれが異なる周期の調光パルスを各ＰＷＭ部１２３〜１２６に出力するようにしてもよい。
【００４７】
各ＰＷＭ部１２３〜１２６は、バックライト１１０の各放電ランプ１１１〜１１４に対応しているため、バックライト１１０の放電ランプと同数のＰＷＭ部をマイコン１２０において備えるものとする。
【００４８】
インバータ回路１５０は、複数のインバータ１５１〜１５４を含んでいる。各インバータ１５１〜１５４は、ＡＣアダプタ１３０の出力から供給される直流電圧をトリガーとして入力し数十Ｋ〜数百ＫＨｚの高周波電圧に変換して各放電ランプ１１１〜１１４に供給する。また、各インバータ１５１〜１５４には、調光パルス発生回路１２２により生成され各ＰＷＭ部１２３〜１２６において変調された調光パルスが入力されており、この調光パルスにより各放電ランプ１１１〜１１４に供給する高周波電圧を調整するように構成されている。
【００４９】
これにより、本実施の形態のバックライト点灯装置１５５においては、マイコン１２０の調光パルス発生回路１２２及び各ＰＷＭ部１２３〜１２６の動作を制御することにより、各放電ランプ１１１〜１１４に供給する高周波電圧に対して任意の調光を行うことが可能である。
【００５０】
インバータ１５１〜１５４もまた、ＰＷＭ部１２３〜１２６と同様に、それぞれがバックライト１１０の各放電ランプ１１１〜１１４に対応しているので、インバータ回路１５０は、バックライト１１０の放電ランプと同数のインバータを備えるものとする。
【００５１】
本実施の形態のバックライト点灯装置１５５では、ＡＣアダプタ１３０についてスイッチ回路ＳＷ１を備えている。スイッチ回路ＳＷ１は、マイコン１２０の制御手段１２１により動作が制御されるようになっている。
【００５２】
制御手段１２１は、上記バックライト点灯装置１５５の基本駆動電源制御とは別に、表示制御部１６７からの表示制御信号を受けてバックライト点灯装置１５５のバックライト輝度を変更する駆動電源制御を行う。表示制御部１６７からの表示制御信号を受けて行う駆動電源制御には、バックライト輝度変更、バックライトのオン／オフ及び各放電ランプ１１１〜１１４の一部オフも含まれる。
【００５３】
図３は、図２に示す本実施の形態の各ＰＷＭ部、各インバータ及び各放電ランプの構成例を詳細に示す図である。図３に示す回路は、一般的に知られているバックライト用インバータ回路であり放電ランプ１本を点灯する場合を代表して示す。
【００５４】
図３において、電源２０１は図２のレギュレータ１３１から供給される直流電圧に相当するものであり、この直流電圧をインバータ回路で高周波電圧に変換し、放電ランプ１１１を駆動する。ＰＷＭ調光回路部２０３は図２の各ＰＷＭ部１２３〜１２６に相当するものであり、その他の回路部分は図２の各インバータ１５１〜１５４に相当するものである。
【００５５】
図２の調光パルス発生回路１２２により生成した調光パルスは、図３に示すＰＷＭ調光回路部の端子Ｓ１に入力され、発信回路を通じてインバータ回路部分に出力される。これにより、電源２０１から供給され、高周波電圧として放電ランプ１１１に出力される駆動電圧を、一定周期でオン／オフすることができるようになっている。
【００５６】
本実施の形態では、バックライト１１０の光源にＣＣＦＴを用いたバックライト点灯装置１５５について説明したが、これに限らず、例えば、バックライト１１０光源としてＥＬ（Electro Luminescence）や白色ＬＥＤ（Light Emitting Diode）等の他の種類の光源を用いることが可能である。また、液晶パネル１００を照明する照明光源部としては、上記バックライト１１０方式のほか、フロントライト方式があり、バックライト方式の中にはエッジライト方式も含まれる。さらに、バックライト方式とエッジライト方式のＬＥＤを併用したものも含まれる。
【００５７】
次に、デジタルテレビジョン受信機の表示制御部１６７について説明する。
番組情報分離部１６３は、受信したデジタル放送信号（図４）に多重化されている番組付帯情報を分離する。放送内容検出部１６５は、番組付帯情報に含まれるＥＰＧ，ＣＭ情報を取得し表示制御部１６７に出力する。本例は、地上デジタル放送で配信されるＥＰＧ，ＣＭ情報を取得する例を示しているが、ＥＰＧの種類は限定されず、例えばＧガイド、ＡＤＡＭＳ−ＥＰＧ、インターネットから番組データを取得するｉＥＰＧ，ＤＥＰＧ，ＡＤＡＭＳ−ＥＰＧ+でもよい。
【００５８】
表示制御部１６７は、デコード部１６４によりデコードされた映像信号を処理してＬＣＤコントローラ１６８に出力するとともに、放送内容検出部１６５により取得したＥＰＧを基にユーザ操作による視聴予約番組設定を行う。また、表示制御部１６７は、内部にＯＳＤ（On Screen Display）発生機能部を有し、チャンネル、時刻、音量などの情報をテレビ等の画面上に表示する。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。
【００５９】
また、表示制御部１６７は、設定した視聴予約番組に基づいてバックライト輝度、液晶駆動の空間解像度、又は時間解像度の少なくともいずれか一つを制御する画像表示制御を行う。画像表示制御の一例として、ユーザ設定された視聴予約番組は必ず視聴できるように画像表示制御を行う。あるいは、視聴予約番組については他の番組よりも見やすくなるように画像表示制御を行う。画像表示制御は、制御対象によりバックライト制御と液晶駆動制御とに分けられる。バックライト制御は、表示制御部１６７からバックライト点灯装置１５５のマイコン１２０への表示制御信号によって行われ、表示制御信号を受けたマイコン１２０がバックライト１１０の輝度変更、並びにバックライト１１０の全体又は一部をオン／オフする。また、液晶駆動制御は、液晶駆動信号を供給するＬＣＤコントローラ１６８への制御信号によって行われ、制御信号を受けたＬＣＤコントローラ１６８が液晶駆動回路１６９に供給する液晶駆動信号を制御し、液晶パネル１００の画像表示のサイズ、又はフレーム周波数ｆｖを変える。このバックライト制御と液晶駆動制御の組合せも可能である。例えば、液晶パネル１００の画像のサイズを縮小させたときは、それに合わせてバックライト１１０点灯領域を小さくする制御が好ましい。
【００６０】
以下、上述のように構成されたテレビジョン受信機の表示装置の動作を説明する。
まず、バックライト点灯装置１５５の動作を説明する。
【００６１】
図２において、ＡＣアダプタ１３０により供給される電源電圧は、レギュレータ１３１において所定の直流電圧に変換され整流された後、マイコン１２０及びインバータ回路１５０に供給される。
【００６２】
マイコン１２０の制御手段１２１は、調光パルス発生回路１２２により所定周波数（本実施の形態では１００〜４００Ｈｚ）の調光パルスを発生させて、各ＰＷＭ部１２３〜１２６に出力させる。各ＰＷＭ部１２３〜１２６は、入力された調光パルスを予め設定されたパルス幅及び周波数に変調して、インバータ回路１５０の各インバータ１５１〜１５４に出力する。
【００６３】
インバータ回路１５０の各インバータ１５１〜１５４は、入力された調光パルスをトリガーとして、レギュレータ１３１からの直流電圧を所定の高周波電圧（４０Ｋ〜２００ＫＨｚ）に変換し、この高周波電圧をバックライト１１０の各放電ランプ１１１〜１１４に供給する。
次に、テレビジョン受信機の表示装置の画像表示制御動作について説明する。
【００６４】
[バックライト制御]
画像表示制御として、バックライト制御を例に採り説明する。表示装置では、バックライト部において消費される電力が最も大きく、バックライト制御が有効に実行されると低消費電力化が図れるからである。バックライト制御は、バックライト輝度の変更、バックライトのオン／オフ、バックライトの部分点灯制御がある。
【００６５】
本テレビジョン受信機では、地上波やＣＡＴＶ、ＢＳ、ＣＳ等の放送のデジタルテレビ放送番組が受信される。放送されたテレビ放送番組は、入力端子より受信放送番組を含む信号として受信装置で受信され、その受信データは本テレビジョン受信機に入力される。
【００６６】
チューナ１６２は、アンテナ１６１からの放送信号を受信し、特定の一つ又は複数の番組放送を選択し次処理によって利用可能な放送ストリームとする処理部であり、番組を前処理するデスクランブラ等を含んで構成される。チューナ１６２で受信した放送ストリームは、図４に示すように番組付帯情報が多重化されて送信されているのが一般的である。図４は、放送ストリーム構成を示す図であり、この図に示すように、放送ストリームは映像、音声、番組付帯情報の各パケットを有し、この番組付帯情報パケットはヘッダ部と情報部とからなる。この番組付帯情報には、ＥＰＧと、放送内容が番組本編であるか、コマーシャルであるかを区別する情報とコマーシャルの放送時間（以下、ＣＭ情報という）が付加されている。
【００６７】
番組情報分離部１６３は、受信した放送信号に多重化されている番組付帯情報を分離し、分離した番組付帯情報を放送内容検出部１６５に送るとともに、放送ストリームをデコード部１６４に送る。
【００６８】
放送内容検出部１６５では、番組付帯情報に含まれるＥＰＧを検出する。
表示制御部１６７は、デコードされた映像信号を処理してＬＣＤコントローラ１６８に出力するとともに、取得したＥＰＧを基にユーザ操作による視聴予約番組設定を行う。視聴予約番組設定は、リモコン装置などからなる操作部１６６に設置された番組表ボタンを押下して例えば液晶パネル１００の画面上にＥＰＧ情報を一覧表示し、表示されたＥＰＧから所望の番組を選択・決定する。
【００６９】
図５は、ＥＰＧを基に設定される視聴予約番組を示す図である。図５において、１７５は、例えばｉＥＰＧによる電子番組表であり、図５では電子番組表１７５は、１画面に５チャンネルずつ３時間の時間帯の番組を表示している。図５の表示は一例であり、さらに多くのチャンネル及び時間帯を表示したり、ジャンル別表示、時間順表示、キーワード検索表示するものでもよい。ユーザはリモコン装置に設置されているＥＰＧボタンで電子番組表１７５を表示させ、十字キー操作と決定ボタンにより、電子番組表１７５を基に視聴予約番組１７６を設定する。ここでは、視聴予約番組１７６として「ＣＨ４  １９：００放送開始のプロ野球」が視聴予約されている。
【００７０】
表示制御部１６７は、設定された視聴予約番組に基づいて画像表示制御（ここではバックライト制御）、画像表示制御設定処理を行う。詳細な画像表示制御処理については図６及び図７により後述する。
【００７１】
また、表示制御部１６７は、バックライト表示に関するメッセージをＯＳＤ表示により、放送信号に多重化してＬＣＤコントローラ１６８に出力し、ＬＣＤコントローラ１６８は液晶パネル１００の画面上にそのメッセージを表示する。
【００７２】
図６は、テレビジョン受信機の画像表示制御動作を示すフローチャートであり、図２の表示制御部１６７により実行される。図中、Ｓはフローの各ステップを示す。
【００７３】
まず、ステップＳ１０１で放送信号に重畳されている番組付帯情報からＥＰＧを取得する。具体的には、番組情報分離部１６３により放送信号から番組付帯情報が分離・取得され、放送内容検出部１６５によりこの番組付帯情報に含まれるＥＰＧが検出される。
【００７４】
次いで、ステップＳ１０２でユーザによる番組予約のための設定（選択）がなされ、視聴予約番組が設定される。この視聴予約番組の設定は、番組予約装置等で行う番組予約操作のようにユーザがＥＰＧ画面表示を見ながら番組名や視聴番組をチェックする（図５参照）ことにより行われる。表示制御部１６７では、上記ＥＰＧ予約設定から視聴予約番組の時間帯を抽出し、以下のステップで抽出した視聴予約番組の時間帯の画像表示制御を行う。
【００７５】
次いで、ステップＳ１０３で、画像表示制御モードにあるか否かを判別する。画像表示制御モード（図７により後述する）にあるときは、ステップＳ１０４で、設定された視聴予約番組の視聴中か否かを判別する。視聴予約番組の視聴中であるときはステップＳ１０５で画像表示制御モードで設定された視聴予約番組の画像表示制御を実行して本フローを終了する。例えば、画像表示制御モードは省エネパターン組合せに依存しているので、前記図１のバックライト制御内容の〔パターン１〕に対応する場合には、ステップＳ１０５では設定された視聴予約番組の視聴中は基準レベル（通常時）よりバックライト輝度を上げる。このバックライト制御は、表示制御部１６７からバックライト点灯装置のマイコン１２０への表示制御信号によって行われる。この〔パターン１〕の画像表示制御ではバックライト制御のみが行われ液晶駆動制御は行われない。これにより図５の例では、「プロ野球」の視聴中についてはバックライト輝度が画像表示制御モードに入る前に比較して明るくなりより視聴しやすくなる。
【００７６】
一方、上記ステップＳ１０４で設定された視聴予約番組以外のときはステップＳ１０６で画像表示制御モードで設定された視聴予約番組以外の画像表示制御を実行して本フローを終了する。例えば、上記〔パターン１〕の場合には、バックライト輝度を基準レベル（通常時）にして本フローを終了する。これにより、設定された視聴予約番組以外の番組視聴時間帯やＣＭ放送中についてはバックライト輝度が基準レベルとなる。同様に、画像表示制御モードが前述した〔パターン２〕に対応する場合には、ステップＳ１０５でバックライト輝度が基準レベルで保たれ、ステップＳ１０６でバックライト輝度が基準レベルよりも下げられて低消費電力化が図られる。
【００７７】
図７は、画像表示制御モード設定の動作を示すフローチャートである。
まず、ステップＳ１１１で画像表示制御設定画面をＯＳＤ表示し、ユーザ設定入力を待つ。次いで、ステップＳ１１２でＯＳＤ表示された画像表示制御設定画面から省エネパターン設定かカスタマイズ設定の、いずれが選択されたかを判別する。省エネパターン設定であればステップＳ１１３で省エネパターン選択による画像表示制御設定を行ってステップＳ１１５に進み、カスタマイズによる省エネパターン設定であればステップＳ１１４でカスタマイズによる画像表示制御設定を行ってステップＳ１１５に進む。
【００７８】
この画像表示制御設定画面には、見易さと低消費電力化の観点からあらかじめ複数の画像表示制御の組合せパターンが用意されている。本実施の形態では、「輝度優先」「お薦め（通常）」「省エネ１」「省エネ２」「省エネ３」「省エネ４」の各モードと、ユーザがよりきめ細かく画像表示制御パラメータを設定可能な「カスタマイズ」とを有する。ユーザは「輝度優先」などの項目を選択するだけでユーザの好みに合った画像表示制御が可能になる。「輝度優先」は、前述した〔パターン１〕とほぼ同じで「視聴予約番組視聴中についてはバックライトの輝度を上げる、また視聴予約番組以外の番組又はＣＭ時のバックライトの輝度を保つ。液晶駆動制御は行わない。」、「お薦め」は上記「輝度優先」に「ＣＭ時はバックライトの輝度を下げる。」制御が付加される。「省エネ１」は、前述した〔パターン２〕とほぼ同じで「視聴予約番組視聴中についてはバックライトの輝度を確保、また視聴予約番組以外のバックライトの輝度を下げる。さらに、ＣＭ時はバックライトの輝度をより下げる。液晶駆動制御は行わない。」、「省エネ２」は、上記「省エネ１」に「ＣＭ時は液晶駆動制御のフレームレートを下げる。」制御が付加される。「省エネ３」は、上記「省エネ１」に「ＣＭ時は液晶駆動制御により空間解像度を変えて小画面表示にし、この小画面についてバックライト部分点灯を行う。」制御が付加される。「省エネ４」は、上記「省エネ１」に「ＣＭ時はバックライトをオフし、音声のみに切り替える。」制御が付加される。
【００７９】
一方、上記「カスタマイズ」は、上述した各パラメータをユーザが個別設定するものである。このカスタマイズにより、視聴予約番組、それ以外の番組又はＣＭごとにバックライト制御（輝度／オフ，部分点灯）、液晶パネルの空間解像度、又は時間解像度を個別に設定することができる。例えば「視聴予約番組視聴中についてはバックライトの輝度を上げ、視聴予約番組以外の番組又はＣＭについてはバックライト制御を行わず液晶駆動制御のみを行う」といった設定が可能になる。
【００８０】
ステップＳ１１５でユーザ設定が終了したか否かを判別し、ユーザ設定が終了すると、ステップＳ１１６でユーザ設定されたバックライト制御モードをテーブルデータとして保存して本フローを終了する。このテーブルデータは、例えば表示制御部１６７を構成するマイクロコンピュータの不揮発性メモリ領域に記憶する。
【００８１】
図２３は、バックライト制御によるバックライト輝度の時間変化の一例を示す図である。図２３（ａ）に示すように、あるチャンネルにおけるバックライト輝度を時間的経過に沿って観察すると、バックライト制御が実行されている場合にはバックライト輝度は時間的に変化する。この図ではバックライト輝度が基準レベルより高い場合は、視聴予約番組の放送時間帯であり、基準レベルの場合は視聴予約番組以外の放送時間帯である。また、バックライト輝度が基準レベルより低い場合は、ＣＭ放送時と省エネモードにおける視聴予約番組以外の放送時間帯である。
【００８２】
以上、設定された視聴予約番組についてバックライト輝度を制御する例について説明したが、画像表示制御として空間解像度、時間解像度を制御する変形例について説明する。
【００８３】
[空間解像度制御]
低消費電力化としては、バックライト制御が最も有効であるが、空間解像度、時間解像度制御によっても低消費電力化を図ることができる。空間解像度又は時間解像度のみを行う場合には、上記カスタマイズにおいて、視聴予約番組、それ以外の番組又はＣＭごとに空間解像度又は時間解像度制御を設定する。図８は、空間解像度制御による液晶パネルの表示画像例を示す図である。図８（ａ）は空間解像度制御による小画面表示により元の画像を１／４にし上部中央に表示した例である。これだけでは低消費電力化は殆ど期待できないが、図８（ｂ）に示すように小画面表示に合わせたバックライト部分点灯を併用すると省エネ効果は大きくなる。さらに、図８（ｃ）は小画面表示により元の画像を１／４にした表示例である。バックライト１１０にＥＬや白色ＬＥＤ等の他の光源を用いる場合には、バックライトユニットは複数の面光源の組合せから構成することが容易であり、図８（ｃ）に示すようにバックライトの部分点灯はこの面光源の一つに対応させることができる。また、図示は省略するが、空間解像度制御には、上記小画面表示のほか前記式（１）に示す垂直選択線の本数ｋを減少して低解像度にする場合も含まれる。
【００８４】
[時間解像度制御]
時間解像度のみを行う場合には、上記カスタマイズにおいて、視聴予約番組、それ以外の番組又はＣＭごとに時間解像度制御を設定する。図９は、時間解像度制御による液晶パネルの表示画像例を示す図である。図９（ａ）は通常の画面表示例、図９（ｂ）は時間解像度によりフレーム周波数ｆｖを下げた場合の画面表示例である。図９（ｂ）に示すように、フレーム周波数ｆｖを下げることによりフリッカー（表示画面のちらつき）が発生することがある。この時間解像度制御だけでは低消費電力化はあまり期待できないが、バックライト制御を併用すると低消費電力化は大きくなる。また、バックライト輝度が下げられるとフリッカーが却って目立たなくなる効果がある。さらに、空間解像度制御を併用することも可能である。
【００８５】
以上のように、本実施の形態のテレビジョン受信機は、番組付帯情報に含まれるＥＰＧを検出する放送内容検出部１６５と、視聴予定番組やバックライト制御モードなどをユーザ設定する操作部１６６と、設定した視聴予約番組に基づいてバックライト輝度、液晶駆動の空間解像度、又は時間解像度の少なくともいずれか一つを制御する表示制御部１６７とを備え、表示制御部１６７は、設定した視聴予約番組に基づいて液晶パネル１００のバックライト１１０の輝度、又は液晶パネル１００の液晶駆動を制御する。具体的には、表示制御部１６７は、ユーザが視聴したい番組（番組名）や視聴時間を設定すれば、その視聴予約番組の視聴中はバックライト輝度を通常輝度よりも上げる又は通常輝度に保つとともに、視聴予約番組の以外の番組又はＣＭはバックライト輝度を保つ又は下げる制御を行う。同様に、視聴予約番組の視聴中とそれ以外とで空間解像度及び／又は時間解像度を制御する。これにより、視聴予約番組や時間帯にユーザが「この番組だけは視聴条件を良くして見たい」ときには明るく見やすいバックライトを確保しつつ、低消費電力化を図ることができ、省エネ効果を得ることができる。
【００８６】
また、ＥＰＧを用いるのでユーザは番組の選択がし易く、指定した視聴予約番組については所望の明るさで見ることができる。
【００８７】
なお、本実施の形態では、デジタル放送信号に含まれる番組付帯情報からＥＰＧを検出する例について説明したが、アナログ放送からＥＰＧを取得して行うこともでき、ＥＰＧを検出できるものであれば番組付帯情報には限定されず、例えばテレビジョン信号の垂直帰線消去期間のＥＤＳ（Extended Data Service）信号に含まれるＥＤＳ信号、又はＴＥＬＥＴＥＸＴ信号に含まれる時間情報、コマーシャル情報を用いてもよい。また、上記ＥＰＧは、インターネット等のネットワークから取得する情報であってもよいことは勿論である。
【００８８】
第２の実施の形態
図１０は、前記図１（Ｂ）の基本的な考え方に基づく本発明の第２の実施の形態の表示装置の構成を概略的に示すブロック図である。本実施の形態の表示装置は、バッテリ駆動が可能なディスプレイ部が分離型のワイヤレスＴＶ受信機に適用した例である。
【００８９】
図１０において、ワイヤレスＡＶシステム１は、ベース機器としてのワイヤレスセンタユニット（以下、ワイヤレスセンタという）２と、ポータブル端末としてのテレビジョン（ＴＶ）本体ユニット（以下、ＴＶ本体という）３とから構成され、ワイヤレスセンタ２（無線通信装置，センタ装置）とＴＶ本体３（無線通信装置，表示装置）とはペアとなって無線伝送ネットワークを構成する。
【００９０】
ワイヤレスセンタ２は、ＢＳアンテナ端子１１，Ｕ／ＶＨＦアンテナ端子１２，ダイバーシティ端子１３の各アンテナ端子と、デジタルＶＴＲ，ＤＶＤプレーヤなどの機器を接続するＳ端子付きビデオ１入力端子１４，デコーダ入力／ビデオ２入力端子１５，モニタ／ＢＳ出力／ビデオ３入力端子１６、ＡＣ電源部１７及びＣａｒ−ＤＣ電源部１８を備える。
【００９１】
ＴＶ本体３は、デジタルＶＴＲ，ＤＶＤ（Digital Versatile Disc）プレーヤなどの機器を接続するＴＶ出力／ビデオ４入力端子２１、ＡＣ電源部２２及びＣａｒ−ＤＣ電源部２３を備える。
【００９２】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイ、パーソナルコンピュータ用モニターなどの種々の表示装置を含む広い概念であり、表示機構により限定されるものではない。また、本明細書において、ＴＶ本体３は、主として表示機能や音響機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００９３】
ワイヤレスセンタ２とＴＶ本体３間は、ＩＥＥＥ８０２．１１規格に準拠するＳＳ（Spread Spectrum：スペクトラム拡散）無線方式によりデータが送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やDVD-Video、デジタル放送を１０Ｍｂｐｓを超える通信回線で伝送する。また、ワイヤレスセンタ２とＴＶ本体３間のコマンド伝送は、ＳＳ無線方式により行う。
【００９４】
図１１は、上記ワイヤレスＡＶシステムのワイヤレスセンタ２の構成を示すブロック図である。
【００９５】
図１１において、ワイヤレスセンタ２は、ＢＳアンテナ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号からＥＤＳ信号を抽出し、スライスしてデータを取り込むデータスライサ処理部１０００と、ＢＳチューナ３１又はＵ／ＶＨＦチューナ３２で受信・選局された映像・音声（ＡＶ）信号を復調する映像・音声復調部３３と、音声切換信号により受信した音声とＥＰＧなどの番組に関する情報とを切換える音声切換部３４と、ソース選択信号により受信した映像・音声情報、番組に関する情報、ビデオ１入力端子１４、デコーダ入力／ビデオ２入力端子１５、モニタ／ＢＳ出力／ビデオ３入力端子１６からの外部入力情報を選択する第１のセレクタ３５と、ＴＶコマンドを送受信して第１のセレクタ３５により選択されたデータをＭＰＥＧ２の映像圧縮フォーマットに変換し、ＳＳ無線方式によりＴＶ本体３に送信するＳＳ送信ユニット３６と、選局信号４１，音声切換信号４２，ソース選択信号４３，データスライス制御信号等を送信するとともに、ＴＶコマンド４４を送受信して装置全体の制御を行うワイヤレスセンタマイクロコンピュータ（以下、マイコンという）３７と、ワイヤレスセンタマイコン３７の制御プログラム、通信制御データ、さらに通信チャンネル変更プログラム等の種々のデータを記憶する電気的に書換可能な不揮発性メモリであるＥＥＰＲＯＭ（electrically erasable programmable ROM）３８とを備えて構成される。
【００９６】
ワイヤレスセンタ２は、放送受信用チューナを複数（ここでは２台）備え、複数のＢＳチューナ３１，Ｕ／ＶＨＦチューナのうち少なくとも一つは地上デジタル放送受信可能なチューナであってもよい。
【００９７】
データスライサ処理部１０００は、マイコン３７からのデータスライサ制御信号に従ってチューナ３１，３２で受信・選局された映像・音声（ＡＶ）信号から垂直帰線消去期間の第２フィールドの第２１番目の水平走査線に重畳されたＥＤＳ信号を抽出するとともに、スライスしてデータを取り込むデータスライス処理を行う。このデータは、前述したスタートコードや時刻データ等のＥＤＳデータがある。
【００９８】
ワイヤレスセンタマイコン３７は、ワイヤレスセンタ装置全体の制御を行うとともに、データスライサ処理部１０００を制御するデータスライサ制御部としての機能を有し、データスライサ処理部１０００を制御してＥＤＳデータ取り出しによるコード取得を実行する。また、上記ＥＥＰＲＯＭ３８には、ＥＤＳデータに含まれる放送局名や放送局の系列名などの情報が格納される。
【００９９】
さらに、ワイヤレスセンタマイコン３７は、図２の番組情報分離部１６３、デコード部１６４、及び放送内容検出部１６５としての機能を有する。
【０１００】
ＳＳ送信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送信エンジン５３、及びＳＳ送信ユニット各部を制御するとともに、電波状態を検出する第１のＳＳ−ＣＰＵ５４を備えて構成される。
【０１０１】
ＳＳ無線送信エンジン５３は、ＴＶ本体３のＳＳ受信ユニット６１（図１２で後述する）に、ＭＰＥＧ２ストリームやコマンド等を送信する送信機能と、ＳＳ受信ユニット６１からコマンド等を受信する受信機能とを備える。
【０１０２】
データスライサ処理部１０００は、ＥＤＳに含まれる番組付帯情報及び時間情報を検出する番組情報取得手段としての機能を有する。
【０１０３】
図１２は、上記ワイヤレスＡＶシステムのＴＶ本体３の構成を示すブロック図であり、バッテリ駆動が可能な表示装置を備えるＴＶ受信機に対応するものである。
【０１０４】
図１２において、ＴＶ本体３は、ＴＶコマンドを送受信してワイヤレスセンタ２のＳＳ送信ユニット３６から送信されたＭＰＥＧ２ストリームやコマンド伝送データを受信するとともに、受信したＭＰＥＧ２ストリームなどを元データにデコード（復元）するＳＳ受信ユニット６１と、ＳＳ受信ユニット６１により復元したデータとＴＶ出力／ビデオ４入力端子２１を介して外部から入力されるＡＶ信号とを選択する第２のセレクタ６２と、映像信号を表示し音声信号を出力するＬＣＤ等からなるＴＶ表示部６３と、ＴＶコマンド７１を送受信するとともに、ソース選択信号７２、ＯＳＤ７３等を送信して装置全体の制御及び画像表示制御を行うＴＶマイコン６４（画像表示制御手段，優先順位設定手段）と、ＴＶマイコン６４の制御プログラム、通信制御データ、さらに通信チャンネル変更プログラム等の種々のデータを記憶する電気的に書換可能な不揮発性メモリであるＥＥＰＲＯＭ６５と、図示しないリモートコントロール装置（以下、リモコン装置という）からの制御コマンドを受光するリモコン受光部６６と、バッテリ６７と、バッテリ６７の充放電を制御するとともにバッテリ残量を検知するバッテリチャージャマイコン６８（バッテリ残量検出手段）とを備えて構成される。
【０１０５】
上記リモコン装置は、視聴予約番組や視聴予定時間の設定やバックライト制御モード設定などのユーザ操作情報を入力する操作部としての機能を有する。
【０１０６】
ＳＳ受信ユニット６１は、ＳＳ無線方式により送信されたデータを受信するＳＳ無線機及び無線制御部からなるＳＳ無線受信エンジン８１、受信したＭＰＥＧ２ストリームをデコードするＭＰＥＧ２デコーダ８２、デコードされたデータをアナログ信号に変換するＤ／Ａ変換部８３、及びＳＳ受信ユニット各部を制御するとともに、電波状態を検出する第２のＳＳ−ＣＰＵ８４を備えて構成される。
【０１０７】
ＳＳ無線受信エンジン８１は、ワイヤレスセンタ２のＳＳ送信ユニット３６からのＭＰＥＧ２ストリームやコマンド等を受信する受信機能と、ＳＳ受信ユニット６１からコマンド等を送信する送信機能とを備える。
【０１０８】
ＴＶ表示部６３は、ＴＶ受信機の表示装置であり、図２と同様に、液晶パネルと、該液晶パネルに光を照射するバックライトと、供給電源電圧，バッテリ残量検知を基本パラメータとし，さらにはＴＶマイコン６４からの表示制御信号に従ってバックライト輝度制御を行うバックライト点灯装置、液晶駆動信号を供給するＬＣＤコントローラと、前記液晶駆動信号によって液晶パネルに駆動電圧を出力する液晶駆動回路とを内部に備える。
【０１０９】
ここで、ＴＶ表示部６３と図２のテレビジョン受信機の表示装置との対応関係について述べる。すなわち、図２のテレビジョン受信機の表示装置において、液晶パネル１００、バックライト１１０、マイコン１２０、レギュレータ１３１、インバータ回路１５０、操作部１６６、表示制御部１６７、ＬＣＤコントローラ１６８及び液晶駆動回路１６９が、全体として、ＴＶ表示部６３に対応する。
【０１１０】
ＴＶマイコン６４は、図２の表示制御部１６７に対応するもので、デコードされた映像信号を処理してＴＶ表示部６３のＬＣＤコントローラに出力するとともに、設定した視聴予約番組に基づいてバックライト輝度、液晶駆動の空間解像度、又は時間解像度の少なくともいずれか一つを制御する。ＴＶマイコン６４は、所定タイミングの時間のプログラム実行時間を割り当てられて図６、図７、図１５に示す画像表示制御処理を実行するものである。画像表示制御処理内容については詳細に後述する。
【０１１１】
バッテリ６７は、リチウムイオン蓄電池等からなりＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知し、バッテリ６７の充電媒体に対し電力供給端子（いずれも図示略）を介して充放電の制御を行う。バッテリチャージャマイコン６８は、具体的には使用時間毎のバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【０１１２】
バッテリチャージャマイコン６８は、バッテリ６７の電圧を検出するためのバッテリ残量検出手段としての機能を有する。バッテリチャージャマイコン６８は、バッテリ６７の電圧を検出し、その値をバッテリ残量設定テーブルに格納されている各種バッテリ特性に基づいて補正する。
【０１１３】
図２１及び図２２は、上記バッテリ残量設定テーブルのテーブルデータの基となるバッテリ放電特性を示す図であり、図２１は、一般的なバッテリ放電特性、図２２は、放電温度特性を示す図である。バッテリ残量設定テーブルには、これらのバッテリ放電特性を基にしたテーブルデータが格納されており、バッテリチャージャマイコン６８は、このテーブルデータを参照して駆動電源を制御する。図２２に示すように、バッテリ放電容量は周囲温度によって変化するため、装置又はバッテリの周辺に、図１２に示すように例えばバッテリ６７の近辺に温度センサ６８ａを設置し、設置された温度センサ６８ａにより使用中のバッテリ温度を検出する。そして検出した温度に応じた放電特性カーブを基にバッテリ残量設定テーブルを参照してバッテリ駆動時間を求める。
【０１１４】
次に、ＴＶ受信機のＴＶマイコン６４の画像表示制御について説明する。
図１０乃至図１２に戻って、ワイヤレスセンタマイコン３７は、受信したデジタル放送信号（図４）に多重化されている番組付帯情報を分離し、番組付帯情報に含まれるＥＰＧを取得する。本例は、地上デジタル放送で配信されるＥＰＧを取得する例を示しているが、ＥＰＧの種類は限定されない。この情報はＳＳ送信ユニット３６により、ＴＶ本体３のＳＳ受信ユニット６１に送信される。ＳＳ受信ユニット６１により受信された各種情報はＴＶマイコン６４に出力される。
【０１１５】
ＴＶマイコン６４は、デコードされた映像信号を処理してＴＶ表示部６３のＬＣＤコントローラに出力するとともに、取得したＥＰＧを基にユーザ操作による視聴予約番組設定を行う。
【０１１６】
また、ＴＶマイコン６４が画像表示制御処理を行う場合には、設定した視聴予約番組に基づいてバックライト輝度、液晶駆動の空間解像度、又は時間解像度の少なくともいずれか一つを制御する画像表示制御を行う。
【０１１７】
特に、本実施の形態では、バッテリ残量を検出することによって、画像表示制御の一例として、ユーザ設定された視聴予約番組は必ず視聴できるように画像表示制御を行う。あるいは、視聴予約番組については他の番組よりも見やすくなるように画像表示制御を行う。画像表示制御は、制御対象によりバックライト制御と液晶駆動制御とに分けられる。バックライト制御は、ＴＶマイコン６４によって行われ、ＴＶ表示部６３のバックライトの輝度変更、並びにバックライトの全体又は一部をオン／オフする。また、液晶駆動制御は、液晶駆動信号を供給するＴＶ表示部６３のＬＣＤコントローラへの制御信号によって行われ、該制御信号を受けたＬＣＤコントローラが液晶駆動回路に供給する液晶駆動信号を制御し、液晶パネルの画像表示のサイズ、又はフレームレートを変える。このバックライト制御と液晶駆動制御の組合せも可能である。
【０１１８】
ＴＶマイコン６４はまた、バッテリチャージャマイコン６８により検知されたバッテリ残量検知結果と、設定された視聴予約番組（視聴予約番組が複数あるときはそのそれぞれについて）放送時間と、該視聴予約番組までの時間情報に基づいて画像表示制御を行う。バックライト制御を例に採ると、設定された視聴予約番組終了までバッテリ残量が所定以上あると判定され、かつユーザがバックライト制御モードを設定している場合には、設定視聴番組の視聴中はバックライト輝度を保つ又は上げる制御を行う。また、設定された視聴予約番組は必ず視聴できるように、該視聴予約番組以外の画面表示についてバックライト輝度を下げる。
【０１１９】
図２３は、バックライト制御によるバックライト輝度の時間変化の一例を示す図であり、図２３（ｂ）はバッテリ残量が所定以上ある場合を、図２３（ｃ）はバッテリ残量が所定より少ない場合を示す。図２３（ｂ）に示すようにバッテリ残量が所定以上ある場合には、バッテリ残量を検出しない図２３（ａ）と同様なバックライト輝度の時間変化であるが、バッテリ残量が少なくなると、図２３（ｃ）に示すようにバックライト輝度の時間変化を維持したまま、バックライド輝度のレベルを下げるように制御を行う。
【０１２０】
以下、上述のように構成されたテレビジョン受信機の表示装置の動作を説明する。
画像表示制御として、バックライト制御を例に採る。バックライト制御は、バックライト輝度の変更、バックライトのオン／オフ、バックライトの部分点灯制御がある。なお、バックライト制御を例に採るが、第１の実施の形態の変形例のように、液晶パネル１００の画像表示のサイズやフレーム周波数ｆｖを変える液晶表示制御についても同様の画像表示制御が可能である。
【０１２１】
図１３及び図１４は、テレビジョン受信機のバックライト制御動作を示すフローチャートであり、図１２のＴＶマイコン６４により実行される。なお、本バックライト制御は、前述したバックライト制御内容の〔パターン１〕に対応するものである。
【０１２２】
まず、ステップＳ１で放送信号に重畳されている番組付帯情報からＥＰＧを取得する。具体的には、図１１のワイヤレスセンタマイコン３７により放送信号から番組付帯情報が分離・取得され、この番組付帯情報に含まれるＥＰＧが検出され、ＳＳ送信ユニット３６及びＳＳ受信ユニット６１を介してＴＶマイコン６４が取得する。なお、第1の実施の形態と同様にインターネットから番組データを取り込むｉＥＰＧ，ＤＥＰＧ，ＡＤＡＭＳ−ＥＰＧ+でもよい。
【０１２３】
次いで、ステップＳ２でユーザによる視聴予約番組を設定する。この視聴予約番組の設定は、番組予約装置等で行う番組予約操作のようにユーザがＥＰＧ画面表示を見ながらリモコン装置により番組名や視聴番組をチェックする。例えば、前記図５において、電子番組表１７５を基に視聴予約番組１７６の「ＣＨ４  １９：００放送開始のプロ野球」が視聴予約されているものとする。
【０１２４】
ステップＳ３でバッテリチャージャマイコン６８により現在のバッテリ残量を検知し、ステップＳ４で通常輝度で視聴した場合に全ての設定された視聴予約番組の視聴終了（視聴予約番組が複数ある場合はその最後の視聴予約番組の視聴終了）まで視聴できるか判定する。上記通常輝度とは、デフォルトの値によるバックライト輝度である。以下に述べるように、視聴時間より長く保つためにバックライト輝度を制御する、視聴予定番組表示時にはバックライト輝度を保つ又はより明るく制御するなどのバックライト制御の実効を図ることができる。
【０１２５】
設定されたすべての視聴予約番組の視聴終了まで視聴できる場合は、ステップＳ５で設定された視聴予約番組開始時間か否かを判別し、設定された視聴予約番組開始時間になるまで待機する。例えば、前記図５に示す「ＣＨ４  １９：００放送開始のプロ野球」が視聴予約番組１７６として視聴予約されている場合、視聴予約番組１７６の視聴予約開始時間（１９：００）の所定時間前（例えば５分前）まで待機する。
【０１２６】
ステップＳ６でバッテリチャージャマイコン６８により現在のバッテリ残量を検知し、ステップＳ７で検出したバッテリ残量から設定された視聴予約番組の視聴中のバックライト輝度を上げることができるか否かを判別する。図５の例では、視聴予約開始時間（１９：００）の３分前に現在のバッテリ残量を検知し、検出したバッテリ残量から設定された視聴予約番組１７６「プロ野球」の最大放送時間（１９：００〜２１：５４）までの２時間５４分の放送予定時間中においてバックライト輝度を上げることができるか否かを判別する。なお、本フローの説明において、視聴予約番組の視聴中は通常時よりバックライト輝度を上げると記載しているのは、設定された視聴予約番組については視聴可能な輝度を確保する意味である。より見やすくするためにバックライト輝度を上げる場合のほか、視聴予約番組の視聴中についてはバックライト輝度を保つ場合も含む。
【０１２７】
バッテリ残量が所定以上ありバックライト輝度を上げることができる場合は、ステップＳ８でバックライト制御モードにあるか否かを判別する。バックライト制御モード（図１５により後述する）にあるときは、ステップＳ９で設定された視聴予約番組の視聴中は通常時よりバックライト輝度を上げる。このバックライト制御は、表示制御部１６７からバックライト点灯装置のマイコン１２０への表示制御信号によって行われる。図５の例では、「プロ野球」の視聴中についてはバックライト輝度が明るくなりより視聴しやすくなる。
【０１２８】
ステップＳ１０では、設定された視聴予約番組の視聴時間が経過したか否かを判別し、設定された視聴予約番組の視聴時間が経過していなければ上記ステップＳ９に戻って設定された視聴番組の視聴時間が経過するまで通常時よりバックライト輝度を上げた状態を維持する。設定された視聴予約番組の視聴時間が経過したときは、ステップＳ１１に進む。
【０１２９】
上記ステップＳ７で検出したバッテリ残量からバックライト輝度を上げることができないとき、あるいは上記ステップＳ８でバックライト制御モードにないときはそのままステップＳ１１に進み、ステップＳ１１でバックライト輝度を通常時に戻して本フローを終了する。
【０１３０】
一方、上記ステップＳ４で通常輝度で設定視聴予約番組の視聴終了まで視聴できないときは、ステップＳ１２でバックライト輝度を落とした場合の設定視聴予約番組終了までの視聴可能時間を計算する。この視聴可能時間の計算は、バックライト輝度を各段階で落とした場合の夫々について計算することが好ましい。
【０１３１】
ステップＳ１３では、バックライト輝度を最低にした場合に設定視聴予約番組の視聴終了まで視聴できるか否かを判別する。バックライト輝度を最低にした場合に設定視聴予約番組の視聴終了まで視聴できる場合は、ステップＳ１４でバックライト制御モードにあるか否かを判別する。バックライト制御モードにあれば、ステップＳ１５で設定された視聴予約番組終了までは視聴できるようにバックライト輝度を制御して本フローを終了する。このバックライト制御モードにあれば、設定された視聴予約番組終了までは必ず視聴できるようにした上で、設定視聴予約番組の視聴中はできるだけバックライト輝度を上げる制御が可能になる。バックライト制御モードになければそのまま本フローを終了する。
【０１３２】
上記ステップＳ１３でバックライト輝度を最低にした場合に設定視聴予約番組の視聴終了まで視聴できないときは、ステップＳ１６で設定された視聴番組終了まで視聴できない旨のメッセージ（図１６参照）を出力して本フローを終了する。
【０１３３】
図１６は、ＴＶ表示部６３の放送画面１７０に表示された視聴予約番組終了まで視聴できない旨のメッセージ１７１の一例を示す図である。図１６に示すように、放送画面１７０の下方に「設定された番組終了まで視聴することができません。省エネモードにするとあと約○○分の視聴が可能です」と表示される。なお、表示位置や表示形態は図１６に限定されるものではない。例えば、ＯＳＤにより視聴可能時間を示すゲージ（１秒を１個とするブロック表示など）と視聴可能時間値を合わせて表示してもよく、また視聴可能時間をフラッシング表示する、時間を画面に色識別で段階表示する態様でもよい。さらに、発音装置としてＴＶマイコン６４からの出力信号をデジタル信号処理する音声コーデック（出力手段の一部）を設置する構成でもよい。音声コーデックは、ＰＣＭ（Pulse Code Modulation）音源ＩＣ等により構成され、ＴＶマイコン６４から受け取った信号を音声信号に変換してスピーカから出力する。例えば、「設定された番組終了まで視聴することができません。省エネモードにするとあと約○○分の視聴が可能です。省エネモードの設定方法は△△です」などと、あらかじめ録音しておいた実際の人間の音声データを発音する。
【０１３４】
本実施の形態では、設定された視聴予約番組についてバックライト輝度を制御する例について説明したが、視聴予約番組に限らず、ユーザが任意に設定した設定時間について応用することができる。例えば、ユーザが庭先等にいる時にバックライト輝度を変えたい場合など、ユーザが任意に画像表示制御時間を設定し、この制御時間については上記視聴予約番組と同様の制御を行うことができる。
【０１３５】
図１５は、バックライト制御モード設定の動作を示すフローチャートである。
まず、ステップＳ３１でバックライト制御設定画面をＯＳＤ表示し、ステップＳ３２でユーザ設定入力を待つ。ユーザ設定が終了すると、ステップＳ３３でユーザ設定されたバックライト制御モードをテーブルデータとして保存する。このテーブルデータは、例えばＴＶマイコン６４を構成するマイクロコンピュータの不揮発性メモリ領域に記憶する。バックライト制御モードは、例えばバックライト制御オン／オフと、通常モード／省エネモードがあり、省エネモードはＣＭ時バックライトを変えない（ノーマル），低輝度，ＯＦＦがある。
【０１３６】
以上、画像表示制御としてバックライト制御を例に採り説明したが、第１の実施の形態の変形例[空間解像度／時間解像度制御]のように、ＴＶ表示部６３の液晶パネルの画像表示のサイズやフレーム周波数ｆｖを変える液晶表示制御についても同様の画像表示制御が可能である。具体的には、図１５のバックライト制御設定フローに代えて図７の画像表示制御設定フローを実行し、図１４のバックライト制御ステップ（ステップＳ９、ステップＳ１１、ステップＳ１５）において図７のフローで設定された画像表示制御を実行すればよい。
【０１３７】
以上のように、本実施の形態の表示装置は、ディスプレイ分離型のワイヤレスＴＶ受信機の携帯型表示装置であるＴＶ本体３に、バッテリ残量を検知するバッテリチャージャマイコン６８を備え、ＴＶマイコン６４は、設定した視聴予約番組に基づいてＴＶ表示部６３の液晶パネルのバックライトの輝度、又は液晶パネルの液晶駆動を制御する。具体的には、ＴＶマイコン６４は、ユーザが視聴したい番組（番組名）や視聴時間を設定すれば、その設定された視聴予約番組や視聴時間は必ず視聴できるようにＴＶ表示部６３のバックライト輝度を制御する。また、ユーザがバックライト制御モードを設定している場合には、設定視聴番組の視聴中はバックライト輝度を通常輝度よりも上げる制御を行う。これにより、本来視聴したい時間帯にユーザにとって明るく見やすいバックライト輝度を確保しつつ、低消費電力化を図りバッテリ駆動時間を大幅に伸ばすことができる。
【０１３８】
本実施の形態では、設定された視聴予約番組についてバックライト輝度を制御する例について説明したが、視聴予約番組に限らず、ユーザが任意に設定した設定時間について応用することができる。例えば、ユーザが庭先等にいる時にバックライト輝度を変えたい場合など、ユーザが任意に画像表示制御時間を設定し、この制御時間については上記視聴予約番組と同様の制御を行うことができる。
【０１３９】
また、ユーザによる設定時間が容易に行えるため、短時間しか見ない場合（例えば、庭先で見る場合等）は輝度を明るくして見ることができる。
【０１４０】
また、ＥＰＧを用いるので、今後のモバイルテレビ放送を受信するモバイルテレビに応用でき、バッテリ駆動のテレビに好適に使用できる。ＥＰＧを用いる装置やテレビジョン受信機には限定されず、各種のバックライト駆動機器にも応用できる。
【０１４１】
以上のべたように、ディスプレイ分離型のワイヤレスＴＶ受信機の携帯型表示装置であるＴＶ本体３に、本バックライト制御を用いているので、第１及び第２の実施の形態と同様の効果を携帯型テレビに適用することができ、ユーザにとって明るく見やすいバックライトを確保しつつ、バッテリ駆動時間を大幅に伸ばすことができる。
【０１４２】
したがって、モバイルテレビ放送を受信するモバイルテレビは勿論のこと、バックライトを備える表示装置を有する携帯型視聴装置全般、例えばパーソナルコンピュータやＨＤＤ等を内蔵し記録映像を再生する携帯型映像再生装置、携帯電話機／ＰＨＳ（Personal Handy-Phone System）やＰＤＡ（Personal Digital Assistants：携帯情報端末）などの表示装置に適用してこれらの機器の、見易さの向上、バッテリ駆動時間の向上を図ることが可能になる。
第３の実施の形態
第1の実施の形態では、画像表示制御について説明し、第２の実施の形態では、バッテリ駆動される表示装置の画像表示制御についてバックライト制御を例に採り説明した。本実施の形態では、バッテリ駆動時の省エネの観点からバックライト制御と液晶駆動制御のより具体的で詳細な実施例について説明する。
【０１４３】
本実施の形態に係るテレビジョン受信機の表示装置のハード的構成は第２の実施の形態と同じであるため説明を省略する。
【０１４４】
図１８及び図１９は、本発明の第３の実施の形態の表示装置の画像表示制御動作を示すフローチャートであり、図１２のＴＶマイコン６４により実行される。図１３及び図１４のフローと同一処理を行うステップについては同一ステップ番号を付して説明を省略する。
【０１４５】
ステップＳ４で通常輝度で視聴した場合に全ての設定された視聴予約番組の視聴終了（視聴予約番組が複数ある場合はその最後の視聴予約番組の視聴終了）まで視聴できないときは、ステップＳ４１でバックライト輝度を各段階で落とした場合、及びＴＶ表示部６３の液晶パネルの画像表示のサイズやフレーム周波数ｆｖを変える液晶表示制御を行った場合の設定視聴予約番組終了までの視聴可能時間を計算する。この視聴可能時間の計算は、画像表示サイズを小さくした場合に対応するバックライトの部分点灯について計算することが好ましい。
【０１４６】
ステップＳ１３では、バックライト輝度を最低にした場合に設定視聴予約番組の視聴終了まで視聴できるか否かを判別する。バックライト輝度を最低にした場合に設定視聴予約番組の視聴終了まで視聴できる場合は、ステップＳ１４でバックライト制御モードにあるか否かを判別する。バックライト制御モードにあれば、ステップＳ１５で設定された視聴予約番組終了までは視聴できるようにバックライト輝度を制御して本フローを終了する。このバックライト制御モードにあれば、設定された視聴予約番組終了までは必ず視聴できるようにした上で、設定視聴予約番組の視聴中はできるだけバックライト輝度を上げる制御が可能になる。バックライト制御モードになければそのまま本フローを終了する。
【０１４７】
上記ステップＳ１３でバックライト輝度を最低にした場合に設定視聴予約番組の視聴終了まで視聴できないときは、ステップＳ４２で前記式（１）により示されるフレーム周波数ｆｖを下げた場合に設定視聴予約番組の視聴終了まで視聴できるか否かを判別する。フレーム周波数ｆｖを下げると設定視聴予約番組の視聴終了まで視聴できる場合は、ステップＳ４３でバックライト輝度を最低にし、かつフレーム周波数ｆｖを下げる画像表示制御を行って本フローを終了する。
【０１４８】
上記ステップＳ４３でフレーム周波数ｆｖを下げても設定視聴予約番組の視聴終了まで視聴できない場合は、ステップＳ４４でＴＶ表示部６３の液晶パネルの画像表示のサイズを小さく（例えば、前記図８（ｃ）の１／４の縮小サイズ）し、かつ対応するバックライトの部分点灯を行った場合に設定視聴予約番組の視聴終了まで視聴できるか否かを判別する。画像表示のサイズを小さくし、かつ対応するバックライトの部分点灯を行うと設定視聴予約番組の視聴終了まで視聴できる場合は、ステップＳ４５で画像表示のサイズを小さくし、かつ対応するバックライトの部分点灯を行う画像表示制御を行って本フローを終了する。
【０１４９】
上記ステップＳ４４で画像表示のサイズを小さくし、かつ対応するバックライトの部分点灯を行っても設定視聴予約番組の視聴終了まで視聴できないときは、ステップＳ１６で設定された視聴番組終了まで視聴できない旨のメッセージ（図１６参照）を出力して本フローを終了する。
【０１５０】
このように、本実施の形態によれば、第２の実施の形態と同様に、設定された視聴予約番組についてはユーザにとって明るく見やすいバックライトを確保し、それ視聴予約番組以外の本編については本画像表示制御によって低消費電力化を図ることができる。
【０１５１】
特に、本実施の形態では、バックライト制御に加え、液晶駆動制御を行っているので、バックライト制御のみを行う場合よりもバッテリ駆動時間をより一層伸ばすことができる。また、設定された視聴予約番組終了まで視聴可能にする選択肢を増やすことができるので、該選択肢を組合せることによって設定された視聴予約番組についてはより確実に視聴できるようにする効果がある。
【０１５２】
なお、本実施の形態では、液晶駆動制御とバックライト制御とを併用する例について説明したが、画像表示制御としてバックライト制御を併用せず液晶駆動制御のみを行う態様でもよいことは言うまでもない。
【０１５３】
また、本実施の形態のバックライト制御は、第1及び第２の実施の形態と同様に前述したバックライト制御内容の〔パターン１〕に対応するものであるが、これに代えて〔パターン２〕のように「視聴予約番組視聴中についてはバックライトの輝度を確保、また視聴予約番組以外のバックライトの輝度を下げ、ＣＭ時はバックライトの輝度をより下げる又はオフする」態様でもよい。このような表示制御の組合せは「省エネモード」として、前記図７で述べたようにあらかじめ複数パターンをセットにして用意しておき、ユーザにより選択させることが好ましい。
【０１５４】
本実施の形態では、液晶駆動制御とバックライト制御とを併用している。一例として、上記〔パターン２〕において「ＣＭ時はバックライトの輝度をより下げる又はオフする」だけではなく、またはこれに代えてＴＶ表示部６３の液晶パネルの画像表示のサイズを小さく（例えば、１／４の縮小サイズ）し、かつ対応する小画像表示領域のみについてバックライトの部分点灯を行うことも可能である。
【０１５５】
また、第２の実施の形態と同様に、視聴予約番組に限らず、ユーザが任意に設定した設定時間について応用することができる。
第４の実施の形態
第４の実施の形態は、設定された視聴予約番組が複数ある場合に、優先度を設定する画像表示制御の例である。
【０１５６】
本実施の形態に係るテレビジョン受信機の表示装置のハード的構成は第２の実施の形態と同じであるため説明を省略する。
【０１５７】
図１９及び図２０は、本発明の第４の実施の形態の表示装置の画像表示制御動作を示すフローチャートであり、図１２のＴＶマイコン６４により実行される。図１３及び図１４のフローと同一処理を行うステップについては同一ステップ番号を付して説明を省略する。なお、本バックライト制御は、前述したバックライト制御内容の〔パターン１〕に対応するものである。
【０１５８】
まず、ステップＳ１で放送信号に重畳されている番組付帯情報からＥＰＧを取得し、ステップＳ２でユーザによる視聴予約番組を設定する。この視聴予約番組の設定は、前記図５に示すようにユーザがＥＰＧ画面表示を見ながら番組名や視聴番組をチェックする。
【０１５９】
ステップＳ５１では、設定された視聴予約番組の優先順位を設定する。視聴予約番組が複数ある場合には、本ステップＳ５１で優先順位が付与される。優先順位をつける主な目的は、モバイル（バッテリ残量）との関係から優先度の高いものについてはまず視聴できるようにすることにある。優先順位の設定は、ユーザの意向ができるだけ反映されとともに設定手順は簡素であることが好ましい。本例では、視聴予約設定順に優先順位を付与する「視聴予約順設定」を用いている。ユーザは視聴したい番組から順に視聴予約をするものであるという経験則及び、特別な設定手順が不要でありユーザに負担をかけないことに基づく。また、視聴予約番組を設定する際、ユーザが優先順位を入力する「ユーザ設定」としてもよい。このようにすれば、ユーザの意向を確実に画像表示制御に反映させることができる。この場合、上記「視聴予約順設定」を基本に、ユーザが特に優先順位を付与したいときのみ上記「ユーザ設定」を行うようにすればユーザ負担もより少なくなる。さらに、シリーズ番組の優先順位を優先させる「シリーズ番組優先設定」を用いてもよい。これは、シリーズ番組抽出技術を用いて行うもので、ユーザが過去に視聴したシリーズ番組に関連するシリーズ番組については視聴優先順位を高く設定するものである。例えば、シリーズ番組など毎週見ているものは必ず見ると推定でき、ユーザ入力を行うことなくユーザの意向をより反映できる。
【０１６０】
本例は、「視聴予約順設定」を用いているため、例えば、前記図５に示す「ＣＨ４  １９時放送開始のプロ野球」が最初の視聴予約番組１７６として視聴予約され、次に「ＣＨ１  １７：１０放送開始の首都圏ネットワーク」が視聴予約番組１７７として視聴予約された場合には、優先順位は「プロ野球」、「首都圏ネットワーク」の順となる。
【０１６１】
ステップＳ３でバッテリチャージマイコン６８により現在のバッテリ残量を検知し、ステップＳ４で通常輝度で視聴した場合に全ての設定された視聴予約番組の視聴終了（視聴予約番組が複数ある場合はその最後の視聴予約番組の視聴終了）まで視聴できるか判定する。
【０１６２】
設定されたすべての視聴予約番組の視聴終了まで視聴できる場合は、ステップＳ５で設定された視聴予約番組開始時間か否かを判別し、設定された視聴予約番組開始時間になるまで待機する。図５の例では、「１７：１０放送開始の首都圏ネットワーク」視聴予約開始時間の所定時間前（例えば３分前）まで待機する。
【０１６３】
ステップＳ６でバッテリチャージマイコン６８により現在のバッテリ残量を検知し、ステップＳ５２で検出したバッテリ残量及び優先順位から設定された視聴予約番組の視聴中のバックライト輝度を上げることができるか否かを判別する。図５の例では、「首都圏ネットワーク」視聴予約開始時間の3分前に現在のバッテリ残量を検知し、検出したバッテリ残量から設定された視聴予約番組１７７「首都圏ネットワーク」の放送時間（５０分）から視聴予約番組１７６「プロ野球」の最大放送時間（１９時〜２１時５４分）終了まで放送予定時間中においてバックライト輝度を上げることができるか否かを判別する。この判定は、視聴予約番組１７６「プロ野球」及び視聴予約番組１７７「首都圏ネットワーク」のいずれもバックライト輝度を上げることができるか、優先順位の高い視聴予約番組１７６「プロ野球」のバックライト輝度は上げ視聴予約番組１７７「首都圏ネットワーク」のバックライト輝度は保つ場合はどうか、視聴予約番組１７６，１７７共にバックライト輝度は保つ場合はどうかなど複数の条件について判定する。
【０１６４】
バッテリ残量が所定以上ありバックライト輝度を上げることができる場合は、ステップＳ８でバックライト制御モードにあるか否かを判別する。バックライト制御モードにあるときは、ステップＳ５３で優先順位に基づいて設定された視聴予約番組の視聴中は通常時よりバックライト輝度を上げる。すなわち、上記ステップＳ５２の判定結果を基にバッテリ残量の範囲内において優先順位の高いものから順に視聴予約番組のバックライト輝度を上げる。バッテリ残量に余裕があれば、視聴予約番組１７６「プロ野球」及び視聴予約番組１７７「首都圏ネットワーク」のいずれもバックライト輝度を上げられることになるが、バッテリ残量に余裕がなければ優先順位の高い視聴予約番組１７６「プロ野球」のバックライト輝度は上げられるものの視聴予約番組１７７「首都圏ネットワーク」のバックライト輝度はそのまま保たれる。本例では、上記判定の直前にバッテリ残量の再チェック（ステップＳ６）を行っているので、複数の視聴予約番組が設定する場合には、その視聴予約番組開始の直前のバッテリ残量によってバックライト輝度が上げられるか否かは動的に変化する。
【０１６５】
ステップＳ１０では、設定された視聴予約番組の視聴時間が経過したか否かを判別し、設定された視聴予約番組の視聴時間が経過していなければ上記ステップＳ９に戻って設定された視聴番組の視聴時間が経過するまで通常時よりバックライト輝度を上げた状態を維持する。設定された視聴予約番組の視聴時間が経過したときは、ステップＳ１１に進む。
【０１６６】
上記ステップＳ７で検出したバッテリ残量からバックライト輝度を上げることができないとき、あるいは上記ステップＳ８でバックライト制御モードにないときはそのままステップＳ１１に進み、ステップＳ１１でバックライト輝度を通常時に戻して本フローを終了する。
【０１６７】
このように、本実施の形態では、視聴予約番組に優先順位を設定しているので、バッテリ残量が制限がある場合であっても優先順位の高い視聴予約番組については明るく見やすいバックライト輝度が確保される。
【０１６８】
ところで、第1乃至第４の実施の形態は、バックライトの光源にＣＣＦＴを用いているため、画像表示のサイズを小さくした場合に対応するバックライトの部分点灯は、例えばバックライト１１０の上部のみ点灯させる態様となる。しかし、バックライトにＥＬや白色ＬＥＤ等の他の光源を用いる場合には、バックライトユニットは複数の面光源の組合せから構成することが容易であり、上記バックライトの部分点灯はこの面光源の一つに対応させることができる。バックライトの光源に、白色ＬＥＤを用いれば、極めて低消費電力でかつ長寿命、インバータ回路等が不要になるため回路規模が小型化する。また、白色ＬＥＤは定電流回路から供給される定電流により発光するため、電流制御によりきめ細かなバックライト輝度制御が可能になる。
【０１６９】
以上詳述したように、第１の実施の形態は、バッテリ駆動をしない表示装置に、第２乃至第４の実施の形態は、バッテリ駆動の表示装置に適用した例であり、いずれも低消費電力化の観点から有効な発明である。ユーザが本当に見たい視聴予約番組や設定時間のとき、バックライト輝度を上げて見やすくしたり、それ以外の時間帯のバックライト輝度を下げる、又はＣＭ時はバックライト輝度を下げる／オフするなど、ユーザにとって見やすく親切な機器を実現することができる。
【０１７０】
なお、本発明の表示装置及びテレビジョン受信機は、上述の実施の形態に限定されるものではなく、本発明の要旨を逸脱しない範囲内において種々変更を加え得ることは勿論である。例えば、上述したようなテレビジョン受信機に適用することもできるが、これには限定されず、全てのシステムに適用可能である。記録再生装置やテレビジョン受信機の通信機能として組み込まれたものでもよい。さらに、パソコンに代表される情報機器機能に融合された装置であってもよい。
【０１７１】
また、放送情報の種類及び放送信号、時間情報はどのようなものでもよい。また、ＥＰＧ、時間情報は、放送信号に限らず、インターネット等のネットワークから取得する情報であってもよい。
【０１７２】
また、上記各実施の形態では表示装置及びテレビジョン受信機という名称を用いたが、これは説明の便宜上であり、蛍光管点灯制御装置、バックライト制御装置、携帯型視聴機器、表示制御方法等であってもよいことは勿論である。
【０１７３】
また、上記各実施の形態は、ディスプレイ背面に複数個の蛍光灯などからなる多灯式バックライトを使用した例について説明したが、表示パネルを用いて表示する画面の明るさの制御を行うものであればよく、反射型液晶ディスプレイを用いた場合のフロントライトにも同様に適用できることは言うまでもない。さらには、自己発光型の有機ＥＬ（Electro Luminescence）など自己発光型のディスプレイを使用した表示装置においてもユーザにとって見やすい輝度調整、省エネの観点から適用して好適である。
【０１７４】
さらに、上記表示装置、テレビジョン受信機を構成するシステムの制御装置、記憶装置等の種類、データの種類、選択方法、画面表示方法などは前述した実施形態に限られないことは言うまでもなく、ソフトウェアに限らずハードウェアにより実現するようにしてもよい。
【０１７５】
以上説明した表示装置及びテレビジョン受信機は、このテレビジョン受信機等を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【図面の簡単な説明】
【０１７６】
【図１】本発明の基本概念を説明するブロック図である。
【図２】本発明の第１の実施の形態のテレビジョン受信機の構成を概略的に示すブロック図である。
【図３】本実施の形態のテレビジョン受信機の各ＰＷＭ部、各インバータ及び各放電ランプの構成例を詳細に示す図である。
【図４】放送ストリーム構成を示す図である。
【図５】ＥＰＧを基に設定される視聴予約番組を示す図である。
【図６】本実施の形態のテレビジョン受信機の画像表示制御動作を示すフローチャートである。
【図７】本実施の形態のテレビジョン受信機の画像表示制御モード設定の動作を示すフローチャートである。
【図８】本実施の形態のテレビジョン受信機の空間解像度制御による液晶パネルの表示画像例を示す図である。
【図９】本実施の形態のテレビジョン受信機の時間解像度制御による液晶パネルの表示画像例を示す図である。
【図１０】本発明の第２の実施の形態のテレビジョン受信機の構成を示す図である。
【図１１】本実施の形態のテレビジョン受信機のワイヤレスセンタの構成を示すブロック図である。
【図１２】本実施の形態のテレビジョン受信機のＴＶ本体の構成を示すブロック図である。
【図１３】本発明の第３の実施の形態のテレビジョン受信機のバックライト制御動作を示すフローチャートである。
【図１４】本実施の形態のテレビジョン受信機のバックライト制御動作を示すフローチャートである。
【図１５】本実施の形態のテレビジョン受信機のバックライト制御モード設定の動作を示すフローチャートである。
【図１６】本実施の形態のテレビジョン受信機の画面表示部の放送画面に表示された視聴番組終了まで視聴できない旨のメッセージの一例を示す図である。
【図１７】本発明の第３の実施の形態のテレビジョン受信機の画像表示制御動作を示すフローチャートである。
【図１８】本実施の形態のテレビジョン受信機の画像表示制御動作を示すフローチャートである。
【図１９】本発明の第４の実施の形態のテレビジョン受信機の画像表示制御動作を示すフローチャートである。
【図２０】本実施の形態のテレビジョン受信機の画像表示制御動作を示すフローチャートである。
【図２１】本実施の形態のテレビジョン受信機のバッテリ残量設定テーブルのテーブルデータの基となるバッテリ放電特性を示す図である。
【図２２】本実施の形態のテレビジョン受信機のバッテリ残量設定テーブルのテーブルデータの基となるバッテリ放電特性を示す図である。
【図２３】本実施の形態のテレビジョン受信機のバックライト制御によるバックライト輝度の時間変化の一例を示す図である。
【符号の説明】
【０１７７】
１  ワイヤレスＡＶシステム
２  ワイヤレスセンタユニット（ワイヤレスセンタ）（無線通信装置，センタ装置）
３  テレビジョン本体ユニット（ＴＶ本体）（無線通信装置，表示装置）
３１  ＢＳチューナ
３２  Ｕ／ＶＨＦチューナ
３３  映像・音声復調部
３４  音声切換部
３５  第１のセレクタ
３６  ＳＳ送信ユニット
３７  ワイヤレスセンタマイクロコンピュータ
３８，６５  ＥＥＰＲＯＭ
５１  Ａ／Ｄ変換部
５２  ＭＰＥＧ２エンコーダ
５３  ＳＳ無線送信エンジン
５４  ＳＳ−ＣＰＵ
６１  ＳＳ受信ユニット
６２  第２のセレクタ
６３  ＴＶ表示部
６４  ＴＶマイコン（画像表示制御手段，優先順位設定手段）
６６  リモコン受光部
６７  バッテリ
６８  バッテリチャージャマイコン（バッテリ残量検出手段）
８１  ＳＳ無線受信エンジン
８２  ＭＰＥＧ２デコーダ
８３  Ｄ／Ａ変換部
８４  第２のＳＳ−ＣＰＵ
１００  液晶パネル
１１０  バックライト
１１１，１１２，１１３，１１４  放電ランプ
１２０  マイコン
１２１  制御手段
１２２  調光パルス発生回路
１２３，１２４，１２５，１２６  ＰＷＭ部
１３０  ＡＣアダプタ
１３１  レギュレータ
１５０  インバータ回路
１５１,１５２,１５３,１５４  インバータ
１５５  バックライト点灯装置
１６０  外部入力
１６１  アンテナ
１６２  チューナ
１６３  番組情報分離部（番組報取得手段の一部）
１６４  デコード部
１６５  放送内容検出部（番組情報取得手段）
１６６  操作部（視聴予約番組設定手段の一部）
１６７  表示制御部（画像表示制御手段，優先順位設定手段）
１６８  ＬＣＤコントローラ
１６９  液晶駆動回路
１７０  放送画面
１７１  視聴予約番組終了まで視聴できない旨のメッセージ
１７５  電子番組表
１７６，１７７  視聴予約番組
１０００  データスライサ処理部（番組情報取得手段）
【図１】
2005210706.tif 000003
【図２】
2005210706.tif 000004
【図３】
2005210706.tif 000005
【図４】
2005210706.tif 000006
【図５】
2005210706.tif 000007
【図６】
2005210706.tif 000008
【図７】
2005210706.tif 000009
【図８】
2005210706.tif 000010
【図９】
2005210706.tif 000011
【図１０】
2005210706.tif 000012
【図１１】
2005210706.tif 000013
【図１２】
2005210706.tif 000014
【図１３】
2005210706.tif 000015
【図１４】
2005210706.tif 000016
【図１５】
2005210706.tif 000017
【図１６】
2005210706.tif 000018
【図１７】
2005210706.tif 000019
【図１８】
2005210706.tif 000020
【図１９】
2005210706.tif 000021
【図２０】
2005210706.tif 000022
【図２１】
2005210706.tif 000023
【図２２】
2005210706.tif 000024
【図２３】
2005210706.tif 000025